(57)【要約】【課題】ユーザが定期券を用いて駅を通り抜ける可能性を考慮して、目的地までの最短の経路を案内することができる情報処理装置、情報処理方法、およびプログラムを提供すること。【解決手段】ユーザの現在地を示す現在地情報と、前記ユーザの目的地を示す目的地情報と、前記ユーザによって使用される定期券の情報を示す定期券情報とを取得する取得部と、前記取得部によって取得された前記現在地情報、前記目的地情報、および前記定期券情報に基づいて、駅を通過して前記目的地に到達する経路を示す第１経路情報と、前記駅を通過せずに前記目的地に到達する経路を示す第２経路情報とのうちの一方または双方を、前記ユーザに提示する経路として決定する経路決定部と、を備える情報処理装置。【選択図】図５
2018100865.tif 000002
【特許請求の範囲】
【請求項１】
ユーザの現在地を示す現在地情報と、前記ユーザの目的地を示す目的地情報と、前記ユーザによって使用される定期券の情報を示す定期券情報とを取得する取得部と、
前記取得部によって取得された前記現在地情報、前記目的地情報、および前記定期券情報に基づいて、駅を通過して前記目的地に到達する経路を示す第１経路情報と、前記駅を通過せずに前記目的地に到達する経路を示す第２経路情報とのうちの一方または双方を、前記ユーザに提示する経路として決定する経路決定部と、
を備える情報処理装置。
【請求項２】
前記経路決定部は、
前記取得部によって取得された前記現在地情報および前記目的地情報に基づいて、駅を通過して目的地に到達する経路を示す第１経路情報と、前記駅を通過せずに目的地に到達する経路を示す第２経路情報とを生成する経路生成部と、
前記取得部によって取得された前記定期券情報に基づいて、前記経路生成部によって生成された前記第１経路情報および前記第２経路情報のうちのいずれか一方を選択する経路選択部と、を備える
請求項１記載の情報処理装置。
【請求項３】
前記定期券情報には、前記定期券の有効期間を示す有効期間情報と、前記定期券の有効区間を示す有効区間情報とが含まれ、
前記経路選択部は、前記定期券情報に含まれる前記有効期間情報および前記有効区間情報に基づき、前記第１経路情報および前記第２経路情報のうちのいずれか一方を選択する
請求項２記載の情報処理装置。
【請求項４】
前記経路選択部は、現在の日付が前記定期券の前記有効期間内であるとともに、前記第１経路情報が通過する前記駅が前記定期券の前記有効区間内である場合、前記第１経路情報を選択する
請求項３記載の情報処理装置。
【請求項５】
前記経路選択部は、
現在の日付が前記定期券の前記有効期間内ではない、または前記第１経路情報が通過する前記駅が前記定期券の前記有効区間内ではない場合、前記第１経路情報の所要時間と前記第２経路情報の所要時間との差分を算出し、
前記差分が前記ユーザによって予め設定された設定時間以上である場合、前記第１経路情報を選択する
請求項３記載の情報処理装置。
【請求項６】
前記経路選択部は、前記差分が前記ユーザによって予め設定された設定時間未満である場合、前記第２経路情報を選択する
請求項５記載の情報処理装置。
【請求項７】
前記取得部によって取得された前記現在地情報に基づいて、前記ユーザが前記駅の構内に入場したと判定した場合、前記駅の構内に存在する店舗の情報を示す店舗情報を前記ユーザに提供する店舗情報提供部を更に備える
請求項２から６の何れか一項に記載の情報処理装置。
【請求項８】
前記店舗情報提供部は、前記ユーザの属性を示す属性情報を取得し、取得した前記属性情報に対応する前記店舗情報をユーザに提供する
請求項７記載の情報処理装置。
【請求項９】
前記経路選択部は、
前記駅の構内の店舗における前記ユーザの過去の購入金額を取得し、
前記購入金額が所定額を超える場合、前記ユーザが前記駅の構内に入場するために必要な入場料の支払いを免除するとともに、前記第１経路情報を選択する
請求項２から８の何れか一項に記載の情報処理装置。
【請求項１０】
前記経路選択部は、
前記駅の構内の店舗における前記ユーザの過去の購入金額を取得し、
前記購入金額が所定額を超える場合、前記ユーザが前記駅の構内に入場するために必要な入場料を減額するとともに、前記第１経路情報を選択する
請求項２から８の何れか一項に記載の情報処理装置。
【請求項１１】
前記経路生成部は、前記駅の構内の地図を示す地図情報を用いて、前記第１経路情報を生成するとともに、前記第１経路情報における前記現在地から前記目的地までの距離および所要時間を算出する
請求項２から１０の何れか一項に記載の情報処理装置。
【請求項１２】
前記情報処理装置は、前記現在地から前記目的地までの経路を、前記ユーザによって使用される端末装置に送信するナビゲーションサーバである
請求項２から１１の何れか一項に記載の情報処理装置。
【請求項１３】
前記取得部は、前記現在地情報、前記目的地情報と、および前記定期券情報を、前記端末装置から取得し、
前記経路選択部は、選択した経路情報を前記端末装置に送信する
請求項１２記載の情報処理装置。
【請求項１４】
前記情報処理装置は、前記ユーザによって使用され、前記現在地から前記目的地までの経路を案内する端末装置である
請求項２から１１の何れか一項に記載の情報処理装置。
【請求項１５】
前記端末装置の位置を特定することにより前記現在地情報を生成する測位部と、
前記目的地情報の入力を受け付ける受付部と、
前記定期券情報を記憶する記憶部と、を更に備え、
前記取得部は、前記測位部から前記現在地情報を取得し、前記受付部から前記目的地情報を取得し、前記記憶部から前記定期券情報を取得する
請求項１４記載の情報処理装置。
【請求項１６】
前記測位部は、
前記駅の構外においては、衛星測位によって特定された前記端末装置の位置、および前記端末装置が通信可能な無線基地局の位置の少なくとも一つに基づいて、前記現在地情報を生成し、
前記駅の構内においては、前記端末装置が通信可能な無線基地局の位置、自律航法測位によって特定された前記端末装置の位置、および地磁気測位によって特定された前記端末装置の位置の少なくとも一つに基づいて、前記現在地情報を生成する
請求項１５記載の情報処理装置。
【請求項１７】
前記第１経路情報と、前記第２経路情報のいずれか一方の経路情報を前記ユーザに選択させるための選択画面を表示する表示部を更に備える
請求項１４から１６の何れか一項に記載の情報処理装置。
【請求項１８】
前記表示部は、前記第１経路情報の所要時間と、前記第２経路情報の所要時間と、前記駅の構内に入場するために必要な入場料を表示する
請求項１７記載の情報処理装置。
【請求項１９】
ユーザの現在地を示す現在地情報と、前記ユーザの目的地を示す目的地情報と、前記ユーザによって使用される定期券の情報を示す定期券情報とを取得する取得工程と、
前記取得工程において取得された前記現在地情報、前記目的地情報、および前記定期券情報に基づいて、駅を通過して前記目的地に到達する経路を示す第１経路情報と、前記駅を通過せずに前記目的地に到達する経路を示す第２経路情報とのうちの一方または双方を、前記ユーザに提示する経路として決定する経路決定工程と、
を備える情報処理方法。
【請求項２０】
コンピュータを、
ユーザの現在地を示す現在地情報と、前記ユーザの目的地を示す目的地情報と、前記ユーザによって使用される定期券の情報を示す定期券情報とを取得する取得部、
前記取得部によって取得された前記現在地情報、前記目的地情報、および前記定期券情報に基づいて、駅を通過して前記目的地に到達する経路を示す第１経路情報と、前記駅を通過せずに前記目的地に到達する経路を示す第２経路情報とのうちの一方または双方を、前記ユーザに提示する経路として決定する経路決定部、
として機能させるためのプログラム。
【発明の詳細な説明】
【技術分野】
【０００１】
本発明は、情報処理装置、情報処理方法、およびプログラムに関する。
【背景技術】
【０００２】
鉄道の駅には、不正乗車対策に関する技術が搭載された自動改札装置が設置されている。例えば、自動改札装置は、定期券の磁気情報（有効期間、有効区間など）を読み取り、読み取った磁気情報に基づいて、ユーザの通過を許可するか否かを判定する（特許文献１参照）。
【０００３】
一方、徒歩で目的地に向かうユーザに対して、目的地までの経路を案内するナビゲーション装置についても知られている（特許文献２参照）。
【先行技術文献】
【特許文献】
【０００４】
【特許文献１】特開平８−３０５９０７号公報
【特許文献２】特開２００２−８１９５７号公報
【発明の概要】
【発明が解決しようとする課題】
【０００５】
しかしながら、従来のナビゲーション装置は、ユーザの定期券の情報を反映させていなかった。このため、従来のナビゲーション装置は、目的地までの経路上に駅が存在する場合、定期券を用いて駅を通り抜けることができる場合であっても、駅を迂回する経路を案内していた。
【０００６】
本発明は、このような事情を考慮してなされたものであり、ユーザが定期券を用いて駅を通り抜ける可能性を考慮して、目的地までの最短の経路を案内することができる情報処理装置、情報処理方法、およびプログラムを提供することを目的の一つとする。
【課題を解決するための手段】
【０００７】
本発明の一態様は、ユーザの現在地を示す現在地情報と、前記ユーザの目的地を示す目的地情報と、前記ユーザによって使用される定期券の情報を示す定期券情報とを取得する取得部と、前記取得部によって取得された前記現在地情報、前記目的地情報、および前記定期券情報に基づいて、駅を通過して前記目的地に到達する経路を示す第１経路情報と、前記駅を通過せずに前記目的地に到達する経路を示す第２経路情報とのうちの一方または双方を、前記ユーザに提示する経路として決定する経路決定部と、を備える情報処理装置である。
【発明の効果】
【０００８】
本発明の一態様によれば、ユーザが定期券を用いて駅を通り抜ける可能性を考慮して、目的地までの最短の経路を案内することができる。
【図面の簡単な説明】
【０００９】
【図１】第１実施形態に係るナビゲーションシステムの全体構成を示す図である。
【図２】第１実施形態に係る端末装置２００の詳細構成を示すブロック図である。
【図３】第１実施形態に係る地図情報１５２の一例を示す図である。
【図４】第１実施形態に係るナビゲーションシステムの処理を示すシーケンス図である。
【図５】第１実施形態に係るナビゲーションサーバ１００によって行われる処理の詳細を示すブロック図である。
【図６】第１実施形態に係る経路Ａおよび経路Ｂの一例を示す図である。
【図７】第１実施形態に係る駅１０の構内の地図情報の一例を示す図である。
【図８】第１実施形態に係る定期券情報の一例を示す図である。
【図９】第１実施形態に係る設定情報の一例を示す図である。
【図１０】第１実施形態に係る端末装置２００の表示部２４０に表示される設定画面の一例を示す図である。
【図１１】第１実施形態に係る属性情報テーブル３１０の一例を示す図である。
【図１２】第１実施形態に係る店舗情報テーブル４１０の一例を示す図である。
【図１３】第１実施形態に係るナビゲーションサーバ１００の処理を示すフローチャートである。
【図１４】図１３のＳ１４に示される経路選択処理を示すフローチャートである。
【図１５】第２実施形態に係る端末装置２００によって行われる処理の詳細を示すブロック図である。
【図１６】第１実施形態および第２実施形態に係る選択画面の一例を示す図である。
【図１７】ナビゲーションサーバ１００および端末装置２００のハードウェア構成の一例を示す図である。
【発明を実施するための形態】
【００１０】
以下、図面を参照して、情報処理装置、情報処理方法、およびプログラムの実施形態について説明する。情報処理装置は、ユーザの現在地を示す現在地情報と、ユーザの目的地を示す目的地情報と、ユーザによって使用される定期券の情報を示す定期券情報とを取得する。また、情報処理装置は、現在地情報、目的地情報、および定期券情報に基づいて、駅を通過して目的地に到達する経路を示す第１経路情報と、駅を通過せずに目的地に到達する経路を示す第２経路情報とのうちの一方または双方を、ユーザに提示する経路として決定する。これによって、情報処理装置は、ユーザが定期券を用いて駅を通り抜ける可能性を考慮して、目的地までの最短の経路を案内することができる。
【００１１】
＜１．第１実施形態＞
以下、本発明の第１実施形態について説明する。第１実施形態において、情報処理装置は、現在地から目的地までの経路を、ユーザによって使用される端末装置に送信するナビゲーションサーバであることとする。以下、第１実施形態について詳細に説明する。
【００１２】
＜１−１．システム構成＞
図１は、第１実施形態に係るナビゲーションシステムの全体構成を示す図である。ナビゲーションシステムは、ナビゲーションサーバ１００と、端末装置２００と、ユーザ情報管理サーバ３００と、店舗情報管理サーバ４００とを備える。ナビゲーションサーバ１００、端末装置２００、ユーザ情報管理サーバ３００、および店舗情報管理サーバ４００は、ネットワークＮＷを介して通信する。ネットワークＮＷは、例えば、ＷＡＮ（Wide Area Network）やＬＡＮ（Local Area Network）、インターネット、プロバイダ装置、無線基地局、専用回線などのうち一部または全部を含む。
【００１３】
端末装置２００は、ユーザによって使用される、スマートフォンなどの携帯電話やタブレット端末などである。端末装置２００は、ナビゲーションサーバ１００と連携するナビアプリ（ナビゲーションプログラム）が起動されることで、ナビゲーション装置として機能する。なお、図１においては、１つの端末装置２００のみが示されているが、複数の端末装置２００がネットワークＮＷに接続されてよい。
【００１４】
ナビゲーションサーバ１００は、端末装置２００に目的地までの経路を示す経路情報を提供するコンピュータである。ナビゲーションサーバ１００は、取得部１１０と、経路生成部１２０と、経路選択部１３０と、店舗情報提供部１４０と、第１記憶部１５０と、第２記憶部１６０とを備える。
【００１５】
取得部１１０、経路生成部１２０、経路選択部１３０、および店舗情報提供部１４０は、ＣＰＵ（Central Processing Unit）等のプロセッサが、プログラムメモリに記憶されたプログラムを実行することで実現される。なお、これらの機能部は、プロセッサがプログラムを実行するのと同様の機能を有するＬＳＩ（Large Scale Integration）、ＡＳＩＣ（Application Specific Integrated Circuit）、およびＦＰＧＡ（Field-Programmable Gate Array）等のハードウェアにより実現されてもよいし、ソフトウェアとハードウェアが協働することにより実現されてもよい。
【００１６】
第１記憶部１５０および第２記憶部１６０は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置などにより実現される。また、第１記憶部１５０および第２記憶部１６０の一部または全部は、ＮＡＳ（Network Attached Storage）や外部のストレージサーバなど、ナビゲーションサーバ１００がアクセス可能な外部装置であってもよい。
【００１７】
図２は、第１実施形態に係る端末装置２００の詳細構成を示すブロック図である。端末装置２００は、制御部２１０と、測位部２２０と、受付部２３０と、表示部２４０と、第３記憶部２５０と、通信部２６０とを備える。
【００１８】
制御部２１０は、ＣＰＵ等のプロセッサが、第３記憶部２５０に記憶されたプログラムを実行することで実現される。なお、制御部２１０は、プロセッサがプログラムを実行するのと同様の機能を有するＬＳＩ、ＡＳＩＣ、およびＦＰＧＡ等のハードウェアにより実現されてもよいし、ソフトウェアとハードウェアが協働することで実現されてもよい。
【００１９】
測位部２２０は、例えばＧＰＳ（Global Positioning System）受信機である。測位部２２０は、衛星から受信した電波に基づく測位を行って、端末装置２００の位置（すなわちユーザの位置）を特定する。また、端末装置２００は、通信部２６０が通信可能な無線基地局の位置から端末装置２００の位置を推定してもよい。
【００２０】
受付部２３０は、ユーザからの操作入力を受け付けるタッチパネルなどの装置である。表示部２４０は、液晶表示装置などの表示装置である。第３記憶部２５０は、例えば、ＲＡＭやＲＯＭ、ＨＤＤ、フラッシュメモリ、またはこれらのうち複数が組み合わされたハイブリッド型記憶装置などにより実現される。通信部２６０は、ネットワークＮＷに接続された無線基地局と無線通信を行う無線通信モジュールである。
【００２１】
端末装置２００は、定期的に（例えば数［ｓｅｃ］おきに）、測位部２２０によって特定された端末装置２００の位置を現在地情報としてナビゲーションサーバ１００に送信する。また、端末装置２００は、ユーザにより設定された目的地情報をナビゲーションサーバ１００に送信し、ナビゲーションサーバ１００から経路情報を取得する。
【００２２】
図１において、ナビゲーションサーバ１００は、端末装置２００からのリクエストに応じて経路探索を行い、経路情報を端末装置２００に送信する。ナビゲーションサーバ１００の第１記憶部１５０には、地図情報１５２が記憶される。地図情報１５２は、例えば、リンクの集合で道路を表現した情報である。
【００２３】
図３は、第１実施形態に係る地図情報１５２の一例を示す図である。地図情報１５２は、リンクの両端座標、接続リンク、車線数などの情報が、リンクの識別情報であるリンクＩＤに対応付けられた情報である。
【００２４】
ナビゲーションサーバ１００は、地図情報１５２から、端末装置２００から受信した端末装置２００の位置を中心とした領域の地図情報（部分地図情報）を抽出し、抽出した部分地図情報を端末装置２００に送信する。
【００２５】
端末装置２００の制御部２１０は、ナビゲーションサーバ１００から受信した部分地図情報に対してリンクマッチング処理を行う。リンクマッチング処理とは、部分地図情報に含まれるリンクのうち、どのリンクに対応する道路に沿って端末装置２００が移動しているか（すなわちユーザがどのリンクを移動しているか）を判定する処理である。従って、リンクマッチング処理によって、端末装置２００の位置（ユーザの位置）が、いずれかのリンクに対応付けられる。リンクマッチング処理は、例えば、端末装置２００の位置に最も近い位置にあるリンクを選択することを基本として、種々の要素を加味して行われる。端末装置２００の制御部２１０は、ナビゲーションサーバ１００から受信した部分地図情報と、リンクマッチング処理の結果とに基づいてナビゲーション画面を生成する。端末装置２００は、生成したナビゲーション画面を表示部２４０に表示する。
【００２６】
＜１−２．ナビゲーションシステムの処理＞
図４は、第１実施形態に係るナビゲーションシステムの処理を示すシーケンス図である。まず、端末装置２００の制御部２１０がナビアプリを起動し、受付部２３０がユーザによる目的地の設定を受け付ける（Ｓ１）。端末装置２００は、測位部２２０によって特定された端末装置２００の位置（以下、「現在地」）を示す現在地情報、目的地を示す目的地情報、ユーザによって使用される定期券の情報を示す定期券情報、およびユーザＩＤを、ナビゲーションサーバ１００に送信する（Ｓ２）。定期券情報についての詳細は後述する。ユーザＩＤは、端末装置２００を使用するユーザを識別するための識別情報であり、ユーザ認証によって取得される。
【００２７】
ナビゲーションサーバ１００は、現在地情報および目的地情報と、地図情報１５２とを用いて経路探索を行う（Ｓ３）。ナビゲーションサーバ１００は、探索結果として得られた経路情報と、端末装置２００の現在地を中心とした領域の部分地図情報とを端末装置２００に送信する（Ｓ４）。
【００２８】
端末装置２００は、現在地情報と部分地図情報に含まれるリンクとに対してリンクマッチング処理を行い、リンクマッチング処理の結果（以下、「リンクマッチング結果」）と、部分地図情報とに基づいてナビゲーション画面を生成する。端末装置２００は、生成したナビゲーション画面を表示部２４０に表示する（Ｓ５）。
【００２９】
端末装置２００は、定期的に、現在地情報およびリンクマッチング結果をナビゲーションサーバ１００に送信する（Ｓ６）。ナビゲーションサーバ１００は、端末装置２００から受信した現在地情報に対応する部分地図情報を端末装置２００に送信する（Ｓ７）。
【００３０】
このようにして、Ｓ５〜Ｓ７の処理が繰り返し実行される。端末装置２００は、測位部２２０が特定した現在地に基づき、ユーザが目的地に到着したか否かを判定する。なお、端末装置２００は、ユーザからの入力に基づいてユーザが目的地に到着したことを判定してもよい。
【００３１】
端末装置２００は、ユーザが目的地に到着したと判定した場合、目的地到着通知をナビゲーションサーバ１００に送信する（Ｓ８）。ナビゲーションサーバ１００は、端末装置２００から目的地到着通知を受信すると、図４に示される一連の動作を終了する。
【００３２】
＜１−３．ナビゲーションサーバの処理＞
図５は、第１実施形態に係るナビゲーションサーバ１００によって行われる処理の詳細を示すブロック図である。まず、取得部１１０は、現在地情報、目的地情報、定期券情報、およびユーザＩＤを、ネットワークＮＷを介して端末装置２００から取得する。その後、取得部１１０は、現在地情報および目的地情報を経路生成部１２０に出力し、定期券情報およびユーザＩＤを経路選択部１３０に出力し、現在地情報およびユーザＩＤを店舗情報提供部１４０に出力する。
【００３３】
経路生成部１２０は、取得部１１０から入力された現在地情報および目的地情報と、第１記憶部１５０に記憶された地図情報（図３）とに基づいて、駅を通過して目的地に到達する経路Ａを示す第１経路情報と、駅を通過せずに目的地に到達する経路Ｂを示す第２経路情報とを生成する。
【００３４】
図６は、第１実施形態に係る経路Ａおよび経路Ｂの一例を示す図である。図６に示されるように、現在地から目的地までの最短の経路は、経路Ａである。しかしながら、経路Ａは駅１０を通過するため、ユーザは駅１０の構内に入場するための入場料を支払わなければならない場合がある。このため、経路生成部１２０は、目的地までの最短の経路Ａが駅を通過する場合、駅を通過せずに目的地に到達する経路Ｂを示す第２経路情報についても生成する。
【００３５】
図７は、第１実施形態に係る駅１０の構内の地図を示す地図情報の一例を示す図である。経路生成部１２０は、図７に示される地図情報を用いて、第１経路情報（経路Ａ）を生成するとともに、経路Ａにおける現在地から目的地までの距離および所要時間を算出する。
【００３６】
図７に示される例において、駅１０は、北口１１と、西口１２と、南口１３と、東口１４とを有する。駅１０の構内の地図情報には、駅１０の構内の通路を示す複数のリンクＬ１からＬ４が含まれる。経路生成部１２０は、駅１０の構内の地図情報に含まれるリンクＬ１からＬ４を参照して、駅１０を通過する経路を探索する。駅１０を通過する経路が得られた場合、経路生成部１２０は、駅１０を通過して目的地に到達する経路Ａを示す第１経路情報を生成することができる。
【００３７】
なお、測位部２２０は、駅１０の構外においては、ＧＰＳ等の衛星測位によって特定された端末装置２００の位置、および端末装置２００が通信可能な無線基地局の位置の少なくとも一つに基づいて、現在地情報を生成する。しかしながら、駅１０の構内においては、衛星からの電波を受信することが難しい場合がある。このため、測位部２２０は、駅１０の構内においては、端末装置２００が通信可能な無線基地局の位置、自律航法測位によって特定された端末装置２００の位置、および地磁気測位によって特定された端末装置２００の位置の少なくとも一つに基づいて、現在地情報を生成する。
【００３８】
自律航法測位とは、端末装置２００に設けられたジャイロセンサや加速度センサなどを用いて、端末装置２００の位置（ユーザの位置）を特定する測位方法である。自律航法測位においては、地図情報に含まれる建物の壁面や柱等の位置を示す区画情報を用いることで、端末装置２００の位置（ユーザの位置）をより正確に特定することができる。地磁気測位とは、経路毎に地磁気データを予め測定しておき、端末装置２００に設けられた地磁気センサによって検知された地磁気データと、予め測定された地磁気データとを比較することによって、端末装置２００の位置（ユーザの位置）を特定する測位方法である。
【００３９】
経路生成部１２０は、生成した第１経路情報および第２経路情報を、経路選択部１３０に出力する。経路選択部１３０は、取得部１１０から入力された定期券情報と、第２記憶部１６０に記憶された設定時間に基づいて、経路生成部１２０から入力された第１経路情報および第２経路情報のうちのいずれか一方を選択する。
【００４０】
図８は、第１実施形態に係る定期券情報の一例を示す図である。定期券情報には、定期券の有効期間を示す有効期間情報と、定期券の有効区間を示す有効区間情報とが含まれる。図８に示される例においては、定期券の有効期間は「２０１７／１／１〜２０１７／７／１」であり、定期券の有効区間は「Ａ駅〜Ｂ駅」である。
【００４１】
経路選択部１３０は、定期券情報に含まれる有効期間情報および有効区間情報に基づき、第１経路情報（経路Ａ）および第２経路情報（経路Ｂ）のうちのいずれか一方を選択する。
【００４２】
例えば、現在の日付が定期券の有効期間内（２０１７／１／１〜２０１７／７／１）であるとともに、経路Ａが通過する駅１０が定期券の有効区間内（Ａ駅〜Ｂ駅）である場合、ユーザは、定期券を用いて駅１０を通過することができる。この場合、経路選択部１３０は、第１経路情報（経路Ａ）を選択する。
【００４３】
一方、経路選択部１３０は、現在の日付が定期券の有効期間内（２０１７／１／１〜２０１７／７／１）ではない、または経路Ａが通過する駅１０が定期券の有効区間内（Ａ駅〜Ｂ駅）ではない場合、ユーザは、定期券を用いて駅１０を通過することができない。この場合、経路選択部１３０は、経路Ａの所要時間と経路Ｂの所要時間との差分を算出する。また、経路選択部１３０は、算出した差分がユーザによって予め設定された設定時間以上である場合、経路Ａを選択する。一方、経路選択部１３０は、算出した差分がユーザによって予め設定された設定時間未満である場合、経路Ｂを選択する。
【００４４】
図９は、第１実施形態に係る設定情報の一例を示す図である。設定情報は、ユーザによって予め設定された情報であり、第２記憶部１６０に記憶される。図９に示されるように、設定情報は、ユーザＩＤおよび設定時間が関連付けられた情報である。経路選択部１３０は、取得部１１０から入力されたユーザＩＤに関連付けられた設定時間を、第２記憶部１６０から読み出す。
【００４５】
図１０は、第１実施形態に係る端末装置２００の表示部２４０に表示される設定画面の一例を示す図である。ユーザは、表示部２４０に表示される設定画面において、設定時間を選択することができる。図１０に示される設定画面の例においては、「０分」に対応するラジオボタン２４１と、「１分」に対応するラジオボタン２４２と、「３分」に対応するラジオボタン２４３と、「５分」に対応するラジオボタン２４４と、設定完了ボタン２４５が示されている。
【００４６】
例えば、ユーザがラジオボタン２４１を選択すると、設定時間として「０分」が設定される。ユーザがラジオボタン２４２を選択すると、設定時間として「１分」が設定される。ユーザがラジオボタン２４３を選択すると、設定時間として「３分」が設定される。ユーザがラジオボタン２４４を選択すると、設定時間として「５分」が設定される。
【００４７】
ユーザによって設定完了ボタン２４５がタップされると、端末装置２００は、選択された設定時間をナビゲーションサーバ１００に送信する。ナビゲーションサーバ１００は、端末装置２００から受信した設定時間を、ユーザＩＤに関連付けて第２記憶部１６０に記憶する。
【００４８】
図１０に示される設定画面の例においては、「３分」が選択されている。このため、経路Ａの所要時間と経路Ｂの所要時間との差分が３分以上である場合、経路選択部１３０は経路Ａを選択する。言い換えると、経路Ａの方が経路Ｂよりも３分以上早く目的地に到着できる場合、経路選択部１３０は経路Ａを選択する。一方、経路Ａの所要時間と経路Ｂの所要時間との差分が３分未満である場合、経路選択部１３０は経路Ｂを選択する。言い換えると、経路Ａの方が経路Ｂよりも３分以上早く目的地に到着できない場合、経路選択部１３０は経路Ｂを選択する。
【００４９】
図１０においては、ユーザはラジオボタンを用いて設定時間を選択することとしたが、これに限られない。例えば、設定時間の数値を入力可能な入力エリアが設定画面に設けられてもよい。この場合、ユーザは、入力エリアに数値を直接入力することによって、設定時間を設定することができる。
【００５０】
なお、鉄道会社によっては、駅１０の構内に入場するために必要な入場券に代えて定期券を用いることが許可されていない場合がある。このため、経路選択部１３０は、入場券に代えて定期券を用いることが許可されていない場合、経路Ｂを選択してもよい。
【００５１】
経路選択部１３０は、選択した経路情報を端末装置２００に送信する。端末装置２００の通信部２６０は、ナビゲーションサーバ１００から受信した経路情報を制御部２１０に出力する。制御部２１０は、通信部２６０から入力された経路情報を表示部２４０に表示する。これによって、ユーザは、目的地までの経路を把握することができる。
【００５２】
一方、店舗情報提供部１４０は、取得部１１０から入力された現在地情報に基づいて、ユーザが駅１０の構内に入場したか否かを判定する。例えば、店舗情報提供部１４０は、各駅を特定するための駅ＩＤおよび各駅の位置情報を予め持っておき、各駅の位置情報と現在地情報とを比較して、ユーザが駅１０の構内に入場したか否かを判定する。店舗情報提供部１４０は、ユーザが駅１０の構内に入場したと判定した場合、駅１０の構内に存在する店舗の情報を示す店舗情報をユーザに提供する。
【００５３】
店舗情報提供部１４０は、ユーザの属性を示す属性情報を取得し、取得した属性情報に対応する店舗情報をユーザに提供する。具体的に、店舗情報提供部１４０は、ユーザＩＤをユーザ情報管理サーバ３００に送信する。ユーザ情報管理サーバ３００は、ナビゲーションサーバ１００から受信したユーザＩＤに対応する属性情報を、属性情報テーブル３１０から取得する。
【００５４】
図１１は、第１実施形態に係る属性情報テーブル３１０の一例を示す図である。属性情報テーブル３１０は、ユーザ情報管理サーバ３００によって保持されるテーブルである。属性情報テーブル３１０は、ユーザＩＤと、属性情報（性別情報、年齢情報、および興味カテゴリ情報）とが関連付けられたテーブルである。性別情報は、ユーザの性別を示す情報である。年齢情報は、ユーザの年齢を示す情報である。興味カテゴリ情報は、ユーザの興味のあるカテゴリに関する情報である。
【００５５】
なお、属性情報には、性別情報、年齢情報、および興味カテゴリ情報の全てが含まれることとしたが、これらのうちのいずれか一つが含まれていればよい。また、属性情報には、購入履歴情報や、ウェブ閲覧情報等が含まれてもよい。
【００５６】
図１１に示される例において、ユーザＩＤ「０００１」が属性情報（男、４０歳、グルメ）に関連付けられ、ユーザＩＤ「０００２」が属性情報（女、３０歳、ファッション）に関連付けられ、ユーザＩＤ「０００３」が属性情報（男、２０歳、スポーツ）に関連付けられている。属性情報は、予めユーザによって登録された情報であってもよいし、ユーザ情報管理サーバ３００によって自動的に収集された情報であってもよい。
【００５７】
ユーザ情報管理サーバ３００は、ナビゲーションサーバ１００から受信したユーザＩＤに対応する属性情報（性別情報、年齢情報、および興味カテゴリ情報）を、属性情報テーブル３１０から取得する。ユーザ情報管理サーバ３００は、取得した属性情報を、ナビゲーションサーバ１００に送信する。
【００５８】
ナビゲーションサーバ１００の店舗情報提供部１４０は、ユーザ情報管理サーバ３００から受信した属性情報と、ユーザが入場した駅を特定するための駅ＩＤとを、店舗情報管理サーバ４００に送信する。店舗情報管理サーバ４００は、ナビゲーションサーバ１００から受信した属性情報および駅ＩＤに対応する店舗情報を、店舗情報テーブル４１０から取得する。
【００５９】
図１２は、第１実施形態に係る店舗情報テーブル４１０の一例を示す図である。店舗情報テーブル４１０は、店舗情報管理サーバ４００によって保持されるテーブルである。店舗情報テーブル４１０は、駅ＩＤと、店舗情報と、性別条件情報と、年齢条件情報と、カテゴリ条件情報とが関連付けられたテーブルである。
【００６０】
店舗情報テーブル４１０は、全ての条件（駅ＩＤ、性別条件、年齢条件、およびカテゴリ条件）を満たす店舗情報を、店舗情報テーブル４１０から取得する。例えば、図１１に示されるユーザＩＤ「０００１」のユーザが、図１２に示される駅ＩＤ「００１」の駅に入場した場合、店舗情報管理サーバ４００は、「飲食店Ａ」の店舗情報を店舗情報テーブル４１０から取得する。また、例えば、図１１に示されるユーザＩＤ「０００２」のユーザが、図１２に示される駅ＩＤ「００１」の駅に入場した場合、店舗情報管理サーバ４００は、「婦人服店Ｂ」の店舗情報を店舗情報テーブル４１０から取得する。
【００６１】
店舗情報管理サーバ４００は、取得した店舗情報をナビゲーションサーバ１００に送信する。これによって、ナビゲーションサーバ１００の店舗情報提供部１４０は、ユーザに提供すべき店舗情報を取得することができる。
【００６２】
店舗情報提供部１４０は、店舗情報管理サーバ４００から受信した店舗情報を端末装置２００に送信する。端末装置２００の通信部２６０は、ナビゲーションサーバ１００から受信した店舗情報を制御部２１０に出力する。制御部２１０は、通信部２６０から入力された店舗情報を表示部２４０に表示する。これによって、ユーザは、駅構内の店舗情報を閲覧することができる。
【００６３】
＜１−４．ナビゲーションサーバの処理のフローチャート＞
図１３は、第１実施形態に係るナビゲーションサーバ１００の処理を示すフローチャートである。まず、ナビゲーションサーバ１００の取得部１１０は、現在地情報および目的地情報を、ネットワークＮＷを介して端末装置２００から取得する（Ｓ１０）。
【００６４】
経路生成部１２０は、取得部１１０によって取得された現在地情報および目的地情報と、第１記憶部１５０に記憶された地図情報（図３）とに基づいて、目的地までの最短の経路を示す経路情報を生成する（Ｓ１１）。
【００６５】
次に、経路生成部１２０は、駅を通過する経路を示す第１経路情報が生成されたか否かを判定する（Ｓ１２）。駅を通過する経路は、例えば、図６に示される経路Ａである。駅を通過する経路を示す第１経路情報が生成されなかった場合、後述するＳ１５に処理が進められる。
【００６６】
一方、駅を通過する経路を示す第１経路情報が生成された場合、経路生成部１２０は、駅を通過しない経路を示す第２経路情報を生成する（Ｓ１３）。駅を通過しない経路は、例えば、図６に示される経路Ｂである。
【００６７】
経路選択部１３０は、後述する経路選択処理を実行し、第１経路情報および第２経路情報のうちのいずれか一方を選択する（Ｓ１４）。その後、経路選択部１３０は、Ｓ１４において選択された経路情報を端末装置２００に送信する（Ｓ１５）。なお、Ｓ１２において駅を通過する経路を示す第１経路情報が生成されなかったと判定された場合、経路選択部１３０は、Ｓ１１において生成された経路情報を端末装置２００に送信する。経路情報が端末装置２００に送信されると、本フローチャートによる処理は終了する。
【００６８】
＜１−５．経路選択処理のフローチャート＞
図１４は、図１３のＳ１４に示される経路選択処理を示すフローチャートである。経路選択処理は、経路選択部１３０によって実行される。本フローチャートにおいては、第１経路情報によって示される経路を経路Ａとし、第２経路情報によって示される経路を経路Ｂとして説明する。
【００６９】
まず、経路選択部１３０は、取得部１１０から定期券情報およびユーザＩＤを取得する（Ｓ２０）。次に、経路選択部１３０は、定期券情報に含まれる有効期間情報を参照して、現在の日付が定期券の有効期間内であるか否かを判定する（Ｓ２１）。
【００７０】
現在の日付が定期券の有効期間内である場合、経路選択部１３０は、定期券情報に含まれる有効区間情報を参照して、経路Ａが通過する駅１０が定期券の有効区間内であるか否かを判定する（Ｓ２２）。
【００７１】
経路Ａが通過する駅１０が定期券の有効区間内である場合、経路選択部１３０は、第１経路情報（経路Ａ）を選択する（Ｓ２３）。その後、図１３のＳ１５に処理が移行される。
【００７２】
一方、Ｓ２１において現在の日付が定期券の有効期間内ではない場合、またはＳ２２において経路Ａが通過する駅１０が定期券の有効区間内ではない場合、経路選択部１３０は、取得部１１０から取得したユーザＩＤに対応する設定時間を、第２記憶部１６０から取得する。
【００７３】
次に、経路選択部１３０は、経路Ａの所要時間と、経路Ｂの所要時間との差分を算出する（Ｓ２５）。その後、経路選択部１３０は、Ｓ２５において算出された差分が、Ｓ２４において取得された設定時間以上であるか否かを判定する（Ｓ２６）。
【００７４】
差分が設定時間以上である場合、経路選択部１３０は、第１経路情報（経路Ａ）を選択する（Ｓ２３）。その後、図１３のＳ１５に処理が移行される。一方、差分が設定時間未満である場合、経路選択部１３０は、第２経路情報（経路Ｂ）を選択する（Ｓ２７）。その後、図１３のＳ１５に処理が移行される。
【００７５】
このように、経路生成部１２０および経路選択部１３０は、ユーザに提示する経路を決定する経路決定部として機能する。なお、経路決定部（経路生成部１２０および経路選択部１３０）は、経路Ａを示す第１経路情報および経路Ｂを示す第２経路情報のどちらを生成するのかを先に選択し、選択した経路情報を生成してもよい。
【００７６】
以上説明したように、第１実施形態のナビゲーションサーバ１００は、取得部１１０と、経路生成部１２０と、経路選択部１３０とを備える。取得部１１０は、ユーザの現在地を示す現在地情報と、目的地を示す目的地情報と、ユーザによって使用される定期券の情報を示す定期券情報とを取得する。経路生成部１２０は、取得部１１０によって取得された現在地情報および目的地情報に基づいて、駅を通過して目的地に到達する経路Ａを示す第１経路情報と、駅を通過せずに目的地に到達する経路Ｂを示す第２経路情報とを生成する。経路選択部１３０は、取得部１１０によって取得された定期券情報に基づいて、経路生成部１２０によって生成された第１経路情報および第２経路情報のうちのいずれか一方を選択する。これによって、第１実施形態のナビゲーションサーバ１００は、ユーザが定期券を用いて駅を通り抜ける可能性を考慮して、目的地までの最短の経路を案内することができる。
【００７７】
＜２．第２実施形態＞
第１実施形態においては、ナビゲーションサーバ１００が、現在地から目的地までの経路を選択することとした。これに対し、第２実施形態においては、端末装置２００が、現在地から目的地までの経路を選択するとともに、選択した経路を案内することとする。以下、第２実施形態について詳細に説明する。
【００７８】
＜２−１．システム構成＞
図１５は、第２実施形態に係る端末装置２００によって行われる処理の詳細を示すブロック図である。図１５において、図５の各部に対応する部分には同一の符号を付し、説明を省略する。なお、端末装置２００はナビゲーションサーバ１００の全ての機能を備えているため、第２実施形態においては、ナビゲーションサーバ１００は存在しない。
【００７９】
端末装置２００は、制御部２１０（不図示）と、測位部２２０と、受付部２３０と、表示部２４０と、通信部２６０と、第１記憶部２７０と、第２記憶部２８０と、第３記憶部２５０とを備える。制御部２１０（不図示）は、取得部２１１と、経路生成部２１２と、経路選択部２１３と、店舗情報提供部２１４とを備える。
【００８０】
取得部２１１は、現在地情報を測位部２２０から取得し、目的地情報を受付部２３０から取得し、定期券情報およびユーザＩＤを第３記憶部２５０から取得する。その後、取得部２１１は、現在地情報および目的地情報を経路生成部２１２に出力し、定期券情報およびユーザＩＤを経路選択部２１３に出力し、現在地情報およびユーザＩＤを店舗情報提供部２１４に出力する。
【００８１】
経路生成部２１２は、取得部２１１から入力された現在地情報および目的地情報と、第１記憶部１５０に記憶された地図情報（図３）とに基づいて、駅を通過して目的地に到達する経路Ａを示す第１経路情報と、駅を通過せずに目的地に到達する経路Ｂを示す第２経路情報とを生成する。
【００８２】
経路生成部２１２は、生成した第１経路情報および第２経路情報を、経路選択部２１３に出力する。経路選択部２１３は、取得部２１１から入力された定期券情報と、第２記憶部１６０に記憶された設定時間に基づいて、経路生成部２１２から入力された第１経路情報および第２経路情報のうちのいずれか一方を選択する。
【００８３】
経路選択部２１３は、選択した経路情報を表示部２４０に表示する。これによって、ユーザは、目的地までの経路を把握することができる。
【００８４】
一方、店舗情報提供部２１４は、取得部２１１から入力された現在地情報に基づいて、ユーザが駅１０の構内に入場したか否かを判定する。例えば、店舗情報提供部２１４は、各駅を特定するための駅ＩＤおよび各駅の位置情報を予め持っておき、各駅の位置情報と現在地情報とを比較して、ユーザが駅１０の構内に入場したか否かを判定する。店舗情報提供部２１４は、ユーザが駅１０の構内に入場したと判定した場合、駅１０の構内に存在する店舗の情報を示す店舗情報をユーザに提供する。
【００８５】
店舗情報提供部２１４は、ユーザの属性を示す属性情報を取得し、取得した属性情報に対応する店舗情報をユーザに提供する。具体的に、店舗情報提供部２１４は、ユーザＩＤを通信部２６０からユーザ情報管理サーバ３００に送信する。ユーザ情報管理サーバ３００は、端末装置２００から受信したユーザＩＤに対応する属性情報（性別情報、年齢情報、および興味カテゴリ情報）を、属性情報テーブル３１０から取得する。ユーザ情報管理サーバ３００は、取得した属性情報を、端末装置２００に送信する。
【００８６】
端末装置２００の店舗情報提供部２１４は、ユーザ情報管理サーバ３００から受信した属性情報と、ユーザが入場した駅の情報を特定するための駅ＩＤとを、店舗情報管理サーバ４００に送信する。店舗情報管理サーバ４００は、端末装置２００から受信した属性情報および駅ＩＤに対応する店舗情報を、店舗情報テーブル４１０から取得する。店舗情報管理サーバ４００は、取得した店舗情報を端末装置２００に送信する。これによって、端末装置２００の店舗情報提供部２１４は、ユーザに提供すべき店舗情報を取得することができる。
【００８７】
店舗情報提供部２１４は、店舗情報管理サーバ４００から受信した店舗情報を表示部２４０に表示する。これによって、ユーザは、駅構内の店舗情報を閲覧することができる。
【００８８】
以上説明したように、第２実施形態の端末装置２００は、取得部２１１と、経路生成部２１２と、経路選択部２１３とを備える。取得部２１１は、ユーザの現在地を示す現在地情報と、目的地を示す目的地情報と、ユーザによって使用される定期券の情報を示す定期券情報とを取得する。経路生成部２１２は、取得部２１１によって取得された現在地情報および目的地情報に基づいて、駅を通過して目的地に到達する経路Ａを示す第１経路情報と、駅を通過せずに目的地に到達する経路Ｂを示す第２経路情報とを生成する。経路選択部２１３は、取得部２１１によって取得された定期券情報に基づいて、経路生成部２１２によって生成された第１経路情報および第２経路情報のうちのいずれか一方を選択する。これによって、第２実施形態の端末装置２００は、ユーザが定期券を用いて駅を通り抜ける可能性を考慮して、目的地までの最短の経路を案内することができる。
【００８９】
なお、第１実施形態および第２実施形態において、表示部２４０は、第１経路情報（経路Ａ）と、第２経路情報（経路Ｂ）のいずれか一方の経路情報をユーザに選択させるための選択画面を表示してもよい。
【００９０】
図１６は、第１実施形態および第２実施形態に係る選択画面の一例を示す図である。図１６に示されるように、端末装置２００の表示部２４０は、経路Ａと、経路Ｂと、経路Ａ選択ボタン２４６、経路Ｂ選択ボタン２４７とを含む選択画面を表示する。表示部２４０は、経路Ａおよび経路Ｂを、色を変えて表示してもよい。
【００９１】
ユーザによって経路Ａ選択ボタン２４６がタップされると、第１経路情報（経路Ａ）が選択される。一方、ユーザによって経路Ｂ選択ボタン２４７がタップされると、第２経路情報（経路Ｂ）が選択される。また、図１６に示されるように、表示部２４０は、第１経路情報（経路Ａ）の所要時間と、第２経路情報（経路Ｂ）の所要時間と、駅の構内に入場するために必要な入場料を表示してもよい。
【００９２】
また、第１実施形態および第２実施形態において、経路選択部１３０および２１３は、駅の構内の店舗におけるユーザの過去の購入金額を取得してもよい。例えば、経路選択部１３０および２１３は、属性情報に含まれるユーザごとの購入履歴情報に基づいて、ユーザの過去の購入金額を算出してもよい。また、経路選択部１３０および２１３は、ユーザの過去の購入金額が所定額を超える場合、ユーザが駅の構内に入場するために必要な入場料の支払いを免除するとともに、第１経路情報を選択してもよい。これに代えて、経路選択部１３０および２１３は、ユーザの過去の購入金額が所定額を超える場合、ユーザが駅の構内に入場するために必要な入場料を減額するとともに、第１経路情報を選択してもよい。
【００９３】
第１実施形態および第２実施形態において、経路生成部および経路選択部は、ユーザに提示する経路を決定する経路決定部として機能する。なお、経路決定部（経路生成部および経路選択部）は、経路Ａを示す第１経路情報および経路Ｂを示す第２経路情報を生成した後、第１経路情報および第２経路情報の一方を選択することとしたが、これに限られない。例えば、経路決定部（経路生成部および経路選択部）は、第１経路情報および第２経路情報のどちらを生成するのかを先に選択し、選択した経路情報を生成してもよい。
【００９４】
＜３．ハードウェア構成＞
図１７は、ナビゲーションサーバ１００および端末装置２００のハードウェア構成の一例を示す図である。図１７は、端末装置２００がスマートフォンやタブレット端末などのスマートデバイスである例を示している。端末装置２００は、例えば、ＣＰＵ５０１、ＲＡＭ５０２、ＲＯＭ５０３、並びにフラッシュメモリなどの二次記憶装置５０４、タッチパネル５０５、および無線通信モジュール５０６が、内部バスあるいは専用通信線によって相互に接続された構成となっている。ナビアプリは、ネットワークＮＷを介してダウンロードされ、二次記憶装置５０４に格納される。
【００９５】
ナビゲーションサーバ１００は、例えば、ＮＩＣ（Network Interface Card）６０１、ＣＰＵ６０２、ＲＡＭ６０３、ＲＯＭ６０４、フラッシュメモリやＨＤＤなどの二次記憶装置６０５、およびドライブ装置６０６が、内部バスあるいは専用通信線によって相互に接続された構成となっている。ドライブ装置６０６には、光ディスクなどの可搬型記憶媒体が装着される。二次記憶装置６０５、またはドライブ装置６０６に装着された可搬型記憶媒体に記憶されたプログラムがＤＭＡコントローラ（不図示）などによってＲＡＭ６０３に展開され、ＣＰＵ６０２によって実行されることで、ナビゲーションサーバ１００の機能部が実現される。
【００９６】
以上説明したように、実施形態の情報処理装置は、取得部と、経路決定部（経路生成部および経路選択部）とを備える。取得部は、ユーザの現在地を示す現在地情報と、ユーザの目的地を示す目的地情報と、ユーザによって使用される定期券の情報を示す定期券情報とを取得する。経路決定部（経路生成部および経路選択部）は、取得部によって取得された現在地情報、目的地情報、および定期券情報に基づいて、駅を通過して目的地に到達する経路を示す第１経路情報と、駅を通過せずに目的地に到達する経路を示す第２経路情報とのうちの一方または双方を、ユーザに提示する経路として決定する。これによって、実施形態の情報処理装置は、ユーザが定期券を用いて駅を通り抜ける可能性を考慮して、目的地までの最短の経路を案内することができる。
【００９７】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９８】
１００…ナビゲーションサーバ
１１０…取得部
１２０…経路生成部
１３０…経路選択部
１４０…店舗情報提供部
１５０…第１記憶部
１６０…第２記憶部
２００…端末装置
２１０…制御部
２１１…取得部
２１２…経路生成部
２１３…経路選択部
２１４…店舗情報提供部
２２０…測位部
２３０…受付部
２４０…表示部
２５０…第３記憶部
２６０…通信部
２７０…第１記憶部
２８０…第２記憶部
３００…ユーザ情報管理サーバ
４００…店舗情報管理サーバ
【図１】
2018100865.tif 000003
【図２】
2018100865.tif 000004
【図３】
2018100865.tif 000005
【図４】
2018100865.tif 000006
【図５】
2018100865.tif 000007
【図６】
2018100865.tif 000008
【図７】
2018100865.tif 000009
【図８】
2018100865.tif 000010
【図９】
2018100865.tif 000011
【図１０】
2018100865.tif 000012
【図１１】
2018100865.tif 000013
【図１２】
2018100865.tif 000014
【図１３】
2018100865.tif 000015
【図１４】
2018100865.tif 000016
【図１５】
2018100865.tif 000017
【図１６】
2018100865.tif 000018
【図１７】
2018100865.tif 000019